(57)【要約】  空気調和機は、吸込口および吹出口を有する本体とを備え、本体は、前面、背面、上面、下面および一対の側面を含んでおり、吸込口は、前面、上面および側面の何れかに形成されており、吹出口は、少なくとも下面に形成されており、吹出口の上流は、吹出風路であり、吹出風路の前面側は、ディフューザーによって形成されており、ディフューザーは、側面視において、ディフューザーの下流側ほどディフューザーの上流部の延長方向である仮想直線から離れる部分を有する。
2016063596.tif 000002
【特許請求の範囲】
【請求項１】
吸込口および吹出口を有する本体と、
前記本体内に設けられた送風部と、
前記本体内に設けられた熱交換部とを備え、
前記本体は、前面、背面、上面、下面および一対の側面を含んでおり、
前記吸込口は、前記前面、前記上面および前記側面の何れかに形成されており、
前記吹出口は、少なくとも前記下面に形成されており、
前記吹出口の上流は、吹出風路であり、
前記吹出風路における前記前面側は、ディフューザーによって画定されており、
前記ディフューザーは、側方からみて、該ディフューザーの下流側ほど、該ディフューザーの上流部の延長方向である上流部仮想直線から離れる部分を有する、
空気調和機。
【請求項２】
前記吹出口は、前記前面および前記下面に跨って形成されている
請求項１の空気調和機。
【請求項３】
前記吹出風路には、前記送風部から吹き出された空気の吹出し方向のうち上下方向を調整する上下風向ベーンが配置され、
側方からみて、前記ディフューザーの下流部の直線部分の長さは、前記上下風向ベーンの上流端と下流端とをむすぶ弦線長さの半分以上の長さである、
請求項１または２の空気調和機。
【請求項４】
前記吹出風路における前記背面側は、ガイドウォールによって画定されており、該吹出風路が、対向する前記ディフューザーおよび前記ガイドウォールによって構成される、
請求項１〜３の何れか一項の空気調和機。
【請求項５】
前記ディフューザーの上流部と前記ガイドウォールの下流部との距離は、下流側に向けて拡大している、
請求項４の空気調和機。
【請求項６】
側方からみて、前記ディフューザーの上流部の直線部分の延長方向を上流部仮想直線Ｓ１とし、前記ディフューザーの下流部の直線部分の延長方向を下流部仮想直線Ｓ２としたとき、前記上流部仮想直線Ｓ１と前記下流部仮想直線Ｓ２との成す角度αは、５°〜４０°である、
請求項１〜５の何れか一項の空気調和機。
【請求項７】
前記熱交換部の下方に配置され、下面に前記ディフューザーが形成されたスタビライザーを有し、
前記本体の前記前面に形成された前記吸込口は、前記本体の高さ方向において、前記送風部の上端よりも下方で、且つ前記スタビライザーの上端よりも上方の範囲内に配置されている、
請求項１〜６の何れか一項の空気調和機。
【請求項８】
前記本体の前記前面に形成された前記吸込口は、少なくとも前記熱交換部の横幅方向の長さに準ずる長さに開口している、
請求項７の空気調和機。
【請求項９】
前記吸込口の下流側には導風壁が設けられ、
該導風壁は、前記本体の背面側に向かって水平に延びる水平面と、下方に向かって延びる下向き面とを有する断面Ｌ字形状である、
請求項７または８の空気調和機。
【発明の詳細な説明】
【技術分野】
【０００１】
本発明は、空気調和機に関するものである。
【背景技術】
【０００２】
特許文献１には、本体内に送風ファンを備え、送風ファンの下流に、壁面によって画定された吹出風路が形成されている、空気調和機が開示されている。吹出風路の下流部には、吹出口が設けられている。吹出口は、空気調和機の本体の下面と前面とに設けられている。
【先行技術文献】
【特許文献】
【０００３】
【特許文献１】特許第３８７２０１２号明細書（図３参照）
【発明の概要】
【発明が解決しようとする課題】
【０００４】
室内機として対象空間内に配置された空気調和機は、当該空気調和機の本体の下面、または、本体の下面および前面に跨がって吹出口が設けられていることで、調和された空気を対象空間の広範囲に吹き出すことができる。【０００５】
しかしながら、空気調和機の吹き出し負荷は、例えば使用期間の経過等に起因して、変化することがある。例えば、空気調和機の工場出荷時（使用期間初期）では、吹き出し負荷は相対的に低負荷であり、調和された空気は、本体の下面の一部、または、本体の下面と前面の一部を占める吹出口から、安定的に、広範囲に吹き出される。【０００６】
その一方、ある程度の使用期間の経過したときには、埃等の堆積が生じることで通風抵抗が増加し、吹き出し負荷は相対的に高負荷となる。吹き出し負荷が相対的に高負荷となると、送風ファンから吹き出される空気の風速分布が不安定になり、吹出口から送風ファンへの逆流が起こり、最終的には結露の発生に至ることがあり得る。特に、吹出口が本体の下面および前面に亘って広がっている場合、送風ファンから吹き出される空気の風速分布がより不安定になる。【０００７】
本発明は、上記に鑑みてなされたものであり、本体の下面の一部、または、本体の下面と前面の一部を占める吹出口を有しておりながら、結露の発生を低減することができる、空気調和機を提供することを目的とする。
【課題を解決するための手段】
【０００８】
上述した目的を達成するため、本発明の空気調和機は、吸込口および吹出口を有する本体と、前記本体内に設けられた送風部と、前記本体内に設けられた熱交換部とを備え、前記本体は、前面、背面、上面、下面および一対の側面を含んでおり、前記吸込口は、前記前面、前記上面および前記側面の何れかに形成されており、前記吹出口は、少なくとも前記下面に形成されており、前記吹出口の上流は、吹出風路であり、前記吹出風路における前記前面側は、ディフューザーによって画定されており、前記ディフューザーは、側方からみて、該ディフューザーの下流側ほど、該ディフューザーの上流部の延長方向である上流部仮想直線から離れる部分を有する。
【発明の効果】
【０００９】
本発明の空気調和機によれば、本体の下面の一部、または、本体の下面と前面の一部を占める吹出口を有しておりながら、結露の発生を低減することができる。
【図面の簡単な説明】
【００１０】
【図１】本発明の実施の形態１を示す空気調和機の、部屋内から見たときの設置状態を示す図である。
【図２】本実施の形態１の空気調和機の内部構造を側方から示す図である。
【図３】本実施の形態１に関し、ディフューザーとガイドウォールの下流部との近傍部を拡大して示す図である。
【図４】上流部仮想直線Ｓ１と下流部仮想直線Ｓ２との成す角度αと、ΔＳＰＬ（仮想線Ｓ１とＳ２の成す角αが０°と直線状に接続した場合に対する騒音値の差）との関係を示すグラフである。
【図５】本発明の実施の形態２に関する、図２と同態様の図である。
【図６】本発明の実施の形態３に関する、図３と同態様の図である。
【図７】本発明の実施の形態３に関する、図３と同態様の図である。
【図８】本発明の実施の形態４に関する、図２と同態様の図である。
【発明を実施するための形態】
【００１１】
以下、本発明に係る空気調和機（室内機）の実施の形態について添付図面に基づいて説明する。なお、図中、同一符号は同一又は対応部分を示すものとする。また、室外機については、既存のものを用いることができる。
【００１２】
実施の形態１．
図１は、本発明の実施の形態１における空気調和機の部屋から見たときの設置概要図である。図２は、本実施の形態１の空気調和機の内部構造を側方から示す図である。なお、図２は、空気調和機の水平吹き運転時（横吹き時）の状態を示す。
【００１３】
図１に示されるように、空気調和機（室内機）１００は、ケースとしての本体１を備えている。空気調和機１００は、壁掛け型の例であり、空調対象空間である部屋１１の壁１１ａに支持されている。なお、本発明の空気調和機は、一般家庭の部屋に設置されることに限定されるものではなく、たとえば施設のビルの一室や倉庫などに設置されていてもよい。
【００１４】
また、本発明の空気調和機は、いわゆる天井埋込型ではない空気調和機であり、本体の背面が空気調和対象空間を画定している壁面（天井や床を除く壁）に当接しておりまたは近づいており、本体の前面が当該空気調和対象空間側に向いている空気調和機である。別な言い方をすれば、本発明の空気調和機は、天井埋込型のように吸込口と吹出口とを同じ面に持たず、空気調和対象空間の中央部を外れて、空気調和対象空間を画定している壁面に寄って配置されていればよい。
【００１５】
本体１は、概ね直方体状の筐体である。具体的には、本体１は、部屋１１の壁１１ａに対面する背面１ｃと、背面１ｃの反対側である前面１ａと、上面１ｂと、下面１ｄと、左右一対の側面１ｅとを含んでいる。
【００１６】
本発明の空気調和機では、少なくとも一つの吸込口が、本体の前面、上面および側面の何れかに形成されており、吹出口は、本体の前面の少なくとも一部および下面の少なくとも一部に跨って形成されている。本実施の形態としての具体例をさらに説明する。
【００１７】
本体１の前面１ａには、前面グリル６が取り付けられている。前面グリル６は上下方向（高さ方向）、左右方向（横幅方向）にかけて平坦なフラット面に形成されている。また、前面グリル６の本体高さ方向でいう中央部には、室内空気を空気調和機１００内に吸い込むための第１の吸込口２ａが開口している。吸込口２ａは、前面グリル６を、横幅方向に延びており、少なくとも後述する熱交換器７の横幅方向の長さに準ずる長さに開口している。なお、吸込口２ａの開口は、熱交換器７の横幅方向の長さよりも長くてもよい。吸込口２ａの下流側には、導風壁６ａが設けられている。吸込口２ａの下流側の流路の前面側は、前面グリル６の裏面で形成され、吸込口２ａの下流側の流路の背面側は、導風壁６ａで形成されている。導風壁６ａは、吸込口２ａの上方の前面グリル６から背面側に水平に延び、途中で屈曲して下方に延びている。つまり、導風壁６ａは前面グリル６のフラット面に対して垂直に延びている水平面６ａ１と、前面グリル６のフラット面に対して平行に延びている下向き面６ａ２とを有する断面Ｌ字形状に形成されている。また、吸込口２ａは、本体高さ方向において、後述する貫流ファン８の上端よりも下方で、且つ後述するスタビライザー９の上端よりも上方の範囲Ｈ内に配置されている。
【００１８】
本体１の上面１ｂには、室内空気を空気調和機１００内に吸い込むためのグリル型の第２の吸込口２ｂが形成されている。
【００１９】
本体１の下面１ｄおよび前面１ａには、調整された空気を室内に供給するための吹出口３が形成されている。吹出口３は、本体１の下面１ｄおよび前面１ａに跨って形成されている。別の言い方をすると、吹出口３は、本体１の下面１ｄの前部の領域と本体１の前面１ａの下部の領域とを占めるようにして、連続して広がっている。吹出口３は、本体１の下面１ｄおよび前面１ａにのみ開口しており、上面１ｂ、背面１ｃおよび左右の側面１ｅには開口していない。
【００２０】
本体１の内部には、羽根車８ａを有する貫流ファン（送風部）８と、ガイドウォール１０とが配置されている。貫流ファン８は、吸込側流路Ｅ１及び吹出側流路Ｅ２の間に配置され、吸込口２ａ、２ｂから空気を吸い込み、吹出口３へと空気を吹き出す。ガイドウォール１０は、貫流ファン８の後方から下方にわたって延びており、貫流ファン８から放出された空気を吹出口３に導く。
【００２１】
さらに、本体１の内部には、吸込口２ａ、２ｂから吸い込まれる空気中の塵埃などを除去するフィルタ（通風抵抗体）５と、冷媒の温熱又は冷熱を空気に伝達して空調空気を生成する熱交換器（熱交換部、通風抵抗体）７と、吸込側流路Ｅ１及び吹出側流路Ｅ２を区画するスタビライザー９とが配置されている。
【００２２】
ガイドウォール１０は、スタビライザー９の下面に形成されているディフューザー３ａと協働して、吹出風路３ｂである吹出側流路Ｅ２を構成するものである。すなわち、吹出風路３ｂにおける本体１の前面１ａ側は、ディフューザー３ａによって画定されており、吹出風路３ｂにおける本体１の背面１ｃ側は、ガイドウォール１０によって画定されており、吹出風路が、対向するディフューザー３ａおよび前記ガイドウォール１０によって構成されている。ガイドウォール１０は、貫流ファン８から吹出口３にかけて渦巻き面を形成している。
【００２３】
フィルタ５は、たとえば網目状に形成され、吸込口２ａ、２ｂから吸い込まれる空気中の塵埃などを除去するものである。フィルタ５は、吸込口２ａ、２ｂから吹出口３までの風路のうち、吸込口２ａ、２ｂの下流側であって熱交換器７の上流側に設けられている。また、フィルタ５は、熱交換器７の上方から前方にわたって延びている。
【００２４】
熱交換器７（室内熱交換器）は、冷房運転時において、蒸発器として機能して空気を冷却し、暖房運転時において、凝縮器（放熱器）として機能して空気を加温するものである。この熱交換器７は、吸込口２ａ、２ｂから吹出口３までの風路（本体１内部の中央部）のうち、フィルタ５の下流側であって貫流ファン８の上流側に設けられている。なお、図２では、熱交換器７の形状は、貫流ファン８の前部及び上部を取り囲むような形状をしているが、あくまでも一例であり、特に限定されるものではない。
【００２５】
熱交換器７は、圧縮機、室外熱交換器、及び絞り装置などを有する周知の態様でよい室外機に接続されて冷凍サイクルを構成しているものとする。また、熱交換器７には、例えば伝熱管と多数のフィンとにより構成されるクロスフィン式のフィン・アンド・チューブ型熱交換器が用いられている。
【００２６】
吹出風路３ｂには、上下風向ベーン４ａと、左右風向ベーン４ｂとが設けられている。左右風向ベーン４ｂは、上下風向ベーン４ａと、貫流ファン８との間に回動可能に設けられている。上下風向ベーン４ａは、貫流ファン８から吹き出された空気の方向のうちの上下方向を調整するものであり、左右風向ベーン４ｂは、貫流ファン８から吹き出された空気の方向のうちの左右方向を調整するものである。上下風向ベーン４ａと、左右風向ベーン４ｂとは、相互に独立して回動駆動される。
【００２７】
上下風向ベーン４ａは、水平吹き運転時の姿勢でみて、上下風向ベーン４ａの上面および下面が共に下向きに出っ張る凸形状を有している。
【００２８】
スタビライザー９は、上記のように吸込側流路Ｅ１と吹出側流路Ｅ２とを区画するもので、図２に図示されるように熱交換器７の下側に設けられている。吸込側流路Ｅ１は、スタビライザー９の上方に位置し、吹出側流路Ｅ２は、スタビライザー９の下方に位置している。
【００２９】
スタビライザー９は、吸込側流路Ｅ１と吹出側流路Ｅ２とを分離する舌部９ａと、熱交換器７から滴下される水滴を一時貯水するドレンパン９ｂと、ディフューザー３ａとを有する。ディフューザー３ａは、上記のようにスタビライザー９の下面に形成されており、吹出口３の吹出風路３ｂの上壁面（前面側壁面）として機能する。
【００３０】
図３は、本実施の形態１に関し、ディフューザーとガイドウォールの下流部との近傍部を拡大して示す図である。図２および図３に示されるように、ディフューザー３ａの上流部３ａ１は、ガイドウォール１０の下流部１０ａの延びる方向と同じ向きに延びており、ディフューザー３ａの上流部３ａ１は、側方からみて、ガイドウォール１０の下流部１０ａと概ね平行に並んでいる。
【００３１】
また、ディフューザー３ａの上流部３ａ１は、側面視において、直線部分を有している。図２の側面視において、ディフューザー３ａの上流部３ａ１の直線部分の延長方向を上流部仮想直線Ｓ１とすると、当該上流部仮想直線Ｓ１の前部は、本体１の前面１ａを延長した仮想直線Ｆと交差するように延びている。また、ディフューザー３ａの下流部３ａ２は、下流部３ａ２の下流側ほど、上流部仮想直線Ｓ１から下側に向けて離れるように延びている。すなわち、ディフューザー３ａは、側面視において、ディフューザー３ａの下流側ほどディフューザー３ａの上流部３ａ１の延長方向である上流部仮想直線Ｓ１から離れる部分を有する。特に、図２の図示例では、ディフューザー３ａは、ディフューザー３ａの上流部３ａ１の上流部仮想直線Ｓ１を挟んで上方に位置するような部位を有しないように構成されている。
【００３２】
また、ディフューザー３ａの下流部３ａ２は、側方からみて、直線部分を有している。ディフューザー３ａの下流部３ａ２の直線部分の延長方向を下流部仮想直線Ｓ２とすると、下流部仮想直線Ｓ２は、上流部仮想直線Ｓ１よりも下方にある。ディフューザー３ａは、ディフューザー３ａの上流部３ａ１と下流部３ａ２との間に位置する部分３ａ３において屈曲または湾曲している。
【００３３】
さらに、図３に示すディフューザー３ａの下流部３ａ２の直線部分の長さＡは、上下風向ベーン４ａの上流端４ａ１と下流端４ａ２とをむすぶ弦線長さＢの半分以上の長さになっている。
【００３４】
また、上流部仮想直線Ｓ１と下流部仮想直線Ｓ２との成す角度αは、５°〜４０°が好適である。図４は、上流部仮想直線Ｓ１と下流部仮想直線Ｓ２との成す角度αと、ΔＳＰＬとの関係を示すグラフである。ΔＳＰＬは、上流部仮想線Ｓ１と下流部仮想直線Ｓ２との成す角αが０°となる直線状に接続した場合、に対する騒音値の差である。図４のグラフから分かるように、上流部仮想直線Ｓ１と下流部仮想直線Ｓ２との成す角度αが、５°〜４０°の範囲において、明らかに低騒音で効果があるであることがわかる。一方、上流部仮想直線Ｓ１と下流部仮想直線Ｓ２との成す角度αが５°未満であると、ディフューザー３ａの下流部３ａ２での遮音効果が期待できず、角度αが４０°を超えると、遮音効果を高まっているものの、それ以上に、吹出し口を狭め通風抵抗が増加することによる騒音の増大のデメリットの方が顕著であり、音についての全体の評価として、騒音悪化が拡大する。よって、上流部仮想直線Ｓ１と下流部仮想直線Ｓ２との成す角度αは、５°〜４０°が好適であり、ディフューザーの下流側の壁面により、ファンからガイドウォールに反射した騒音をユニット下方へ反射させて、空気調和機の前面側への騒音放射を抑制し、静音化を図ることができる。
【００３５】
以上のように構成された本実施の形態１の空気調和機においては、ディフューザーが、その下流側ほどディフューザーの上流部の延長方向である上流部仮想直線から離れる部分を有しているので、ディフューザーの下流部において、吹き出される空気の壁面（ディフューザーの下流部）に沿う流れを増速させることができる。このため、例えば吸込口側に設けられるフィルタにホコリが堆積して通風抵抗が増加するなどの、吹き出し負荷の相対的な高負荷時においても、吹出口から送風ファンへの逆流を低減することができる。すなわち、本体の前面および下面に跨る吹出口により調和された空気を対象空間の広範囲に吹き出すことが可能でありながら、工場出荷時よりも吹き出し負荷の高い相対的な高負荷時においても、吹出口から送風ファンへの逆流を低減し、結露の発生を低減することができる。
【００３６】
また、吹出風路が、対向するディフューザーおよびガイドウォールによって構成されるので、ダクトとしての流路が確保されることで流れが安定し、上下フラップの可動よる通風抵抗の変化およびフィルタへのホコリ目詰まりによる通風抵抗の変化といった環境の変化に対し安定的に送風できる。
【００３７】
さらに、ディフューザーの下流部により、ファンからガイドウォールに反射した騒音を、空気調和機の本体の下方側へと積極的に反射させ、空気調和機の正面側への騒音放射を抑制し、静音化を図ることができり利点もある。
【００３８】
また、ディフューザー３ａの下流部３ａ２の直線部分の長さＡを上下風向ベーン４ａの上流端４ａ１と下流端４ａ２とをむすぶ弦線長さＢの半分以上の長さにすることで、ディフューザー３ａと上下風向ベーン４ａ間の流れが安定し、風向制御性を向上させることができる。
【００３９】
さらに、前面グリル６を上下方向に平坦に形成することで、前面グリル６の表面にホコリが付きにくくなり清潔に保つことができる。また、前面グリル６を左右方向に平坦に形成することで、本体１の幅方向で風路奥行が同じとなり、貫流ファン８や熱交換器７を本体１内に高密度に実装でき、ファン送風性能や熱交換器性能を向上させることができる。
【００４０】
また、導風壁６ａを断面Ｌ字形状にすることで、正面視では吸気口２ａ内に下向き面６ａ２のみが見え、奥行方向で一番奥の位置に平面がくるので意匠性が良い。また、水平面６ａ１と下向き面６ａ２との角部に吸込み流れの緩衝域ができるので、吸込み空気が壁面に沿わずホコリがつきにくい。また、本体１内で発生する貫流ファン８などの騒音が吸込口２ａから外部へ放出する際、導風壁６ａの上面（水平面６ａ１）が水平に形成されているため、外部に向かって反射する音が低減し、低騒音を確保することができる。
【００４１】
さらに、吸込口２ａの開口を熱交換器７の横幅方向の長さに準ずる長さに設けることで、吸込口２ａから吸い込まれた空気を熱交換器７で有効に熱交換することができる。また、吸込口２ａの開口を熱交換器７の横幅方向の長さよりも長くした場合には、吸込口２ａの開口面積が大きくなることで、吸込圧損を低減させることができる。
【００４２】
また、吸込口２ａを上述した本体高さ方向における範囲Ｈ内に配置することで、貫流ファン８に近接する位置から空気が吸い込まれるため、通風抵抗が低減し、送風効率が向上する。また、吸込口２ａから吸い込まれた空気がファン循環流へ供給されることで貫流が安定し、フィルタにホコリが堆積したり、暖房、冷房で負荷変化が起きても送風量の変動が小さく品質が保てる。さらに、前面グリル６を駆動し吸込口２ａを開放させる様なことが不要でコンパクトで、運転時の形態変化が小さく、居住者の違和感を抑制できる。また、前面グリル６は本体高さ方向の中央部で上下に分割された形状となり、前面グリル６の上部側と下部側とで同等の高さ寸法となり、上部側と下部側とで同等の強度となるため、反りづらく品質を保つことができる。
【００４３】
実施の形態２．
次に、図５を用いて、本発明の実施の形態２について説明する。図５は、本発明の実施の形態２に関する、図２と同態様の図である。なお、本実施の形態２は、以下に説明する部分を除いては、実施の形態１と同様であるものとする。
【００４４】
上述した実施の形態１に関する図２の図示例では、ディフューザー３ａは、ディフューザー３ａの上流部３ａ１の上流部仮想直線Ｓ１を挟んで上方に位置するような部位を有しないように構成されていたが、本発明は、これに限定されるものではない。すなわち、本発明では、ディフューザー３ａにおいて、上流部仮想直線Ｓ１を決定するディフューザー３ａの上流部３ａ１と、下流部仮想直線Ｓ２を決定するディフューザー３ａの下流部３ａ２との間の部分は、様々な態様で形成することができる。図５は、その一例である。
【００４５】
図５に示されるように、ディフューザー３ａにおいて、上流部仮想直線Ｓ１を決定するディフューザー３ａの上流部３ａ１と、下流部仮想直線Ｓ２を決定するディフューザー３ａの下流部３ａ２との間には、中間部分３ａ４がある。この中間部分３ａ４は、上流部仮想直線Ｓ１よりも上方に位置している。
【００４６】
このような本実施の形態２によっても、上記実施の形態１と同様な作用効果を得ることができ、特に、本体の下面の一部および前面の一部を占める吹出口を有しておりながら、結露の発生を低減することができる。
【００４７】
実施の形態３．
次に、図６および図７を用いて、本発明の実施の形態３について説明する。図６および図７は、本発明の実施の形態３に関する、図３と同態様の図である。なお、本実施の形態３は、以下に説明する部分を除いては、実施の形態１または２と同様であるものとする。図６および図７は、以下に説明する部分以外を、実施の形態１と同様に構成した場合の例である。
【００４８】
上述した実施の形態１に関する図２の図示例では、ディフューザー３ａの上流部と、ガイドウォール１０の下流部とが概ね平行な態様であったが、本発明は、これに限定されるものではない。すなわち、本発明では、ディフューザーの上流部とガイドウォールの下流部との距離が下流側に向けて徐々に拡大する態様であってもよい。図６および図７は、その一例である。
【００４９】
まず、図６に示される態様では、ディフューザーの上流部３０３ａ１の延びる向きが、上述した実施の形態１の図２の態様のディフューザーの上流部３ａ１の延びる向きよりも、下流側に向けて、ガイドウォール１０の下流部１０ａから離れるように設定されている。すなわち、図６の吹出風路は、ディフューザーの上流部３０３ａ１側において、図２の吹出風路よりもが拡大されている。
【００５０】
また、図７に示される態様では、ガイドウォールの下流部３１０ａの延びる向きが、上述した実施の形態１の図２の態様のガイドウォールの下流部１０ａの延びる向きよりも、下流側に向けて、ディフューザー３ａの上流部３ａ１から離れるように設定されている。すなわち、図７の吹出風路は、ガイドウォールの下流部３１０ａ側において、図２の吹出風路よりもが拡大されている。
【００５１】
このような本実施の形態３によっても、上記実施の形態１と同様な作用効果を得ることができ、特に、本体の下面の一部および前面の一部を占める吹出口を有しておりながら、結露の発生を低減することができる。また、ディフューザーの上流部とガイドウォールの下流部との距離が、下流側に向けて拡大しているので、ファン吹出領域８ｂ付近では、ファン吹出流れは、拡大され、吹出口高さ方向で均一化される。その結果、流れが安定し、フィルタのホコリ目詰まりによる通風抵抗増加に対して、より安定的な送風ができ、品質向上が図れる。
【００５２】
実施の形態４．
次に、図８を用いて、本発明の実施の形態４について説明する。図８は、本発明の実施の形態４に関する、図２と同態様の図である。なお、本実施の形態４は、以下に説明する部分を除いては、実施の形態１と同様であるものとする。
【００５３】
上述した実施の形態１に関する図２の図示例では、本体１の前面１ａの少なくとも一部および下面１ｄの少なくとも一部に跨って吹出口３が形成された空気調和機１００を示したが、本発明は、これに限定されるものではない。すなわち、本発明は、本体１の下面１ｄのみに吹出口３が形成された空気調和機にも適用でき同様な作用効果を得ることができる。図８は、その一例である。
【００５４】
図８に示されるように、本体１の下面１ｄには、調整された空気を室内に供給するための吹出口３が形成されている。吹出口３は、本体１の下面１ｄにのみ開口しており、前面１ａ、上面１ｂ、背面１ｃおよび左右の側面１ｅには開口していない。本体１の前面１ａには、本体高さ方向と同じ高さの前面グリル６が取り付けられている。なお、図８には、上下風向ベーン４ａを２つの部材で構成した例を示したが、実施の形態１と同様に１つの部材で構成してもよい。
【００５５】
このような本実施の形態４によっても、上記実施の形態１と同様な作用効果を得ることができる。
【００５６】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００５７】
１  本体、１ａ  前面、１ｂ  上面、１ｃ  背面、１ｄ  下面、１ｃ  背面、２ａ、２ｂ  吸込口、３  吹出口、３ａ  ディフューザー、３ａ１、３０３ａ１  ディフューザーの上流部、３ａ２  ディフューザーの下流部、７  熱交換器（熱交換部）、８  貫流ファン（送風部）、１０ａ、３１０ａ  ガイドウォールの下流部、１００  空気調和機、Ｓ１  上流部仮想直線、Ｓ２  下流部仮想直線。
【図１】
2016063596.tif 000003
【図２】
2016063596.tif 000004
【図３】
2016063596.tif 000005
【図４】
2016063596.tif 000006
【図５】
2016063596.tif 000007
【図６】
2016063596.tif 000008
【図７】
2016063596.tif 000009
【図８】
2016063596.tif 000010
【手続補正書】
【提出日】平成29年2月8日(2017.2.8)
【手続補正１】
【補正対象書類名】明細書
【補正対象項目名】０００８
【補正方法】変更
【補正の内容】
【０００８】
上述した目的を達成するため、本発明の空気調和機は、吸込口および吹出口を有する本体と、前記本体内に設けられた送風部と、前記本体内に設けられた熱交換部とを備え、前記本体は、前面、背面、上面、下面および一対の側面を含んでおり、前記吸込口は、前記前面、前記上面および前記側面の何れかに形成されており、前記吹出口は、少なくとも前記下面に形成されており、前記吹出口の上流は、吹出風路であり、前記吹出風路における前記前面側は、ディフューザーによって画定されており、前記ディフューザーは、側方からみて、該ディフューザーの下流側ほど、該ディフューザーの上流部の延長方向である上流部仮想直線から離れる部分を有し、前記熱交換部の下方に配置され、下面に前記ディフューザーが形成されたスタビライザーを有し、前記本体の前記前面に形成された前記吸込口は、前記本体の高さ方向において、前記送風部の上端よりも下方で、且つ前記スタビライザーの上端よりも上方の範囲内に配置されており、前記吸込口の下流側には導風壁が設けられ、該導風壁は、前記本体の背面側に向かって水平に延びる水平面と、下方に向かって延びる下向き面とを有する断面Ｌ字形状である。
【手続補正２】
【補正対象書類名】明細書
【補正対象項目名】００５７
【補正方法】変更
【補正の内容】
【００５７】
１  本体、１ａ  前面、１ｂ  上面、１ｃ  背面、１ｄ  下面、１ｅ  側面、２ａ、２ｂ  吸込口、３  吹出口、３ａ  ディフューザー、３ａ１、３０３ａ１  ディフューザーの上流部、３ａ２  ディフューザーの下流部、７  熱交換器（熱交換部）、８  貫流ファン（送風部）、１０ａ、３１０ａ  ガイドウォールの下流部、１００  空気調和機、Ｓ１  上流部仮想直線、Ｓ２  下流部仮想直線。
【手続補正３】
【補正対象書類名】特許請求の範囲
【補正対象項目名】全文
【補正方法】変更
【補正の内容】
【特許請求の範囲】
【請求項１】
吸込口および吹出口を有する本体と、
前記本体内に設けられた送風部と、
前記本体内に設けられた熱交換部とを備え、
前記本体は、前面、背面、上面、下面および一対の側面を含んでおり、
前記吸込口は、前記前面、前記上面および前記側面の何れかに形成されており、
前記吹出口は、少なくとも前記下面に形成されており、
前記吹出口の上流は、吹出風路であり、
前記吹出風路における前記前面側は、ディフューザーによって画定されており、
前記ディフューザーは、側方からみて、該ディフューザーの下流側ほど、該ディフューザーの上流部の延長方向である上流部仮想直線から離れる部分を有し、
前記熱交換部の下方に配置され、下面に前記ディフューザーが形成されたスタビライザーを有し、
前記本体の前記前面に形成された前記吸込口は、前記本体の高さ方向において、前記送風部の上端よりも下方で、且つ前記スタビライザーの上端よりも上方の範囲内に配置されており、
前記吸込口の下流側には導風壁が設けられ、
該導風壁は、前記本体の背面側に向かって水平に延びる水平面と、下方に向かって延びる下向き面とを有する断面Ｌ字形状である、
空気調和機。
【請求項２】
前記吹出口は、前記前面および前記下面に跨って形成されている
請求項１の空気調和機。
【請求項３】
前記吹出風路には、前記送風部から吹き出された空気の吹出し方向のうち上下方向を調整する上下風向ベーンが配置され、
側方からみて、前記ディフューザーの下流部の直線部分の長さは、前記上下風向ベーンの上流端と下流端とをむすぶ弦線長さの半分以上の長さである、
請求項１または２の空気調和機。
【請求項４】
前記吹出風路における前記背面側は、ガイドウォールによって画定されており、該吹出風路が、対向する前記ディフューザーおよび前記ガイドウォールによって構成される、
請求項１〜３の何れか一項の空気調和機。
【請求項５】
前記ディフューザーの上流部と前記ガイドウォールの下流部との距離は、下流側に向けて拡大している、
請求項４の空気調和機。
【請求項６】
側方からみて、前記ディフューザーの上流部の直線部分の延長方向を上流部仮想直線Ｓ１とし、前記ディフューザーの下流部の直線部分の延長方向を下流部仮想直線Ｓ２としたとき、前記上流部仮想直線Ｓ１と前記下流部仮想直線Ｓ２との成す角度αは、５°〜４０°である、
請求項１〜５の何れか一項の空気調和機。
【請求項７】
前記本体の前記前面に形成された前記吸込口は、少なくとも前記熱交換部の横幅方向の長さに準ずる長さに開口している、
請求項１の空気調和機。
【国際調査報告】
2016063596.tif 000011
2016063596.tif 000012
2016063596.tif 000013
2016063596.tif 000014